(57)【要約】【課題】錘全体を大きくせずに必要な重さにすることができ、魚の食い付きが良い釣り用錘を提供する。【解決手段】釣り用錘１０は、多面体状の錘本体部１２と多角柱状のガイド部１４により構成され、内側には釣糸２０を貫通させる貫通孔１６を備えており、表面全体が金属光沢を有している。ガイド部１４は、錘本体部１２の重さを補うとともに、釣糸２０に通したときに、錘本体部１２が釣針２２のチモト２４から離れて目立つようにする。釣糸２０に、釣り用錘１０，釣針２２，餌２６を付けて水中に投げ込むと、釣り用錘１０は、釣針２２に当たるまで釣糸２０に沿って滑るとともに、釣針２２を水中に沈める。このとき、ガイド部１４により錘本体部１２が釣針２２のチモト２４から離れて目立つとともに、多面体状の表面の金属光沢により水中で光が反射するため、魚の注意を引いて食い付きが良くなる。【選択図】図１
0003152418.tif 000002
【実用新案登録請求の範囲】
【請求項１】
釣糸が貫通する貫通孔を有する少なくとも一つの錘本体部と、
該錘本体部の貫通孔と連続する貫通孔を有しており、該貫通孔と直交する方向の外径寸法が前記錘本体部より小さく、前記錘本体部の少なくとも一方の端部に連続形成されたガイド部と、
を備えるとともに、表面全体が金属光沢を有することを特徴とする釣り用錘。
【請求項２】
前記錘本体部及び前記ガイド部の少なくとも一方の表面に、光を反射させるためのカット面を設けたことを特徴とする請求項１記載の釣り用錘。
【請求項３】
前記錘本体部が、略球状体又は多面体であることを特徴とする請求項１記載の釣り用錘。
【請求項４】
前記ガイド部が、略筒状，略角柱状，略円錐状，略角錐状のいずれかであることを特徴とする請求項１〜３のいずれか一項に記載の釣り用錘。
【請求項５】
表面を金色としたことを特徴とする請求項１〜４のいずれか一項に記載の釣り用錘。
【考案の詳細な説明】
【技術分野】
【０００１】
本考案は、釣り用錘（ないしシンカー）に関し、更に具体的には、魚の食い付きの改善に関するものである。
【背景技術】
【０００２】
釣り用錘は、釣針や餌（オキアミ・イカタンなど）を水中に沈めるために用いられるもので、適度の重さが要求される。従来の釣り用錘としては、例えば、下記特許文献１に示す技術がある。前記特許文献１には、貫通された糸通し孔の口端を、丸みを持たせた開口縁に形成することで、釣糸の摺り切れや切断を防止する魚釣用移動錘が開示されている。
【先行技術文献】
【特許文献】
【０００３】
【特許文献１】特開２０００−２１７４８４号公報
【考案の概要】
【考案が解決しようとする課題】
【０００４】
しかしながら、上述した特許文献１に記載の技術では、ある程度の重みを持たせるためには、全体を大きくしなければならず、大きくなった錘によって餌が隠れてしまい、十分な集魚効果が得られにくいという不都合がある。
【０００５】
本考案は、以上のような点に着目したもので、錘全体を大きくせずに必要な重さにするとともに、魚の食い付きが良好な釣り用錘を提供することを、その目的とする。
【課題を解決するための手段】
【０００６】
本考案の釣り用錘は、釣糸が貫通する貫通孔を有する少なくとも一つの錘本体部と、該錘本体部の貫通孔と連通する貫通孔を有しており、該貫通孔と直交する方向の外径寸法が前記錘本体部より小さく、前記錘本体部の少なくとも一方の端部に連続形成されたガイド部と、を備えるとともに、表面全体が金属光沢を有することを特徴とする。
【０００７】
主要な形態の一つは、前記錘本体部及び前記ガイド部の少なくとも一方の表面に、光を反射させるためのカット面を設けたこと，あるいは、前記錘本体部が、略球状体又は多面体であることを特徴とする。他の形態は、前記ガイド部が、略筒状，略角柱状，略円錐状，略角錐状のいずれかであることを特徴とする。更に他の形態は、表面を金色としたことを特徴とする。本考案の前記及び他の目的，特徴，利点は、以下の詳細な説明及び添付図面から明瞭になろう。
【考案の効果】
【０００８】
本考案によれば、釣糸が貫通する貫通孔を有する少なくとも一つの錘本体部と、該錘本体部の貫通孔と連続する貫通孔を有しており、該貫通孔と直交する方向の外径寸法が前記錘本体部より小さく、前記錘本体部の少なくとも一方の端部に連続形成されたガイド部によって釣り用錘を構成するとともに、表面全体が金属光沢を有することとした。そのため、錘全体を大きくせずに必要な重さにするとともに、魚の食い付きを良くすることができる。更に、前記錘本体部又はガイド部に光を反射する面を設けることで、集魚効果を高めることが可能である。
【図面の簡単な説明】
【０００９】
【図１】図１は、本考案の実施例１を示す図であり、(A)は本実施例の使用状態を示す図，(B)は本実施例の釣り用錘の外観斜視図，(C)は前記釣り用錘の側面図，(D)は前記釣り用錘を錘本体部側から見た平面図である。
【図２】図２は、本考案の他の実施例を示す図である。
【考案を実施するための形態】
【００１０】
以下、本考案を実施するための最良の形態を、実施例に基づいて詳細に説明する。
【実施例１】
【００１１】
最初に、図１を参照しながら本考案の実施例１を説明する。図１(A)は本実施例の使用状態を示す図，図１(B)は本実施例の釣り用錘を示す外観斜視図，図１(C)は釣り用錘の側面図，図１(D)は釣り用錘を錘本体部側から見た平面図である。図１(B)及び(C)に示すように、本実施例の釣り用錘１０は、全体にミラーカットが施された多面体の錘本体部１２と多角柱（図示の例では１０角柱）状のガイド部１４が連続形成された構成となっており、その内側には、釣糸２０が貫通する貫通孔１６が形成されている。錘本体部１２だけで必要な重さを出すと大きくなってしまうが、本実施例では、前記ガイド部１４を設けることで錘本体部１２だけでは足りない重さを補うことができる。釣り用錘１０は、例えば、加工し易い真鍮にメッキ処理を施したもので構成され、表面が金属光沢を有している。前記メッキ処理は、金属光沢を有するものであれば公知の各種の材料によって行うことができるが、特に金色のメッキを施すと、水中で目立つため魚の食い付きが良好になる。金色の着色としてもよい。
【００１２】
本実施例の釣り用錘１０は、図１(A)に示すように、ガイド部１４が釣針２２側になるように、貫通孔１６に釣糸２０を通す。前記釣針２２には、餌２６（オキアミ・イカタンなど）が取り付けられる。なお、片天秤，コマセカゴなどの部分は、必要に応じて適宜変更してよい。前記釣糸２０を水中に投げると、釣り用錘１０は、釣針２２に当たるまで釣糸２０に沿って滑り下りるとともに、その重さによって釣針２２を水中に沈める。このとき、前記ガイド部１４により錘本体部１２が釣針２２のチモト２４から離れるため、多面体状の錘本体部１２が餌２６に隠れずに目立つとともに、表面全体の金属光沢により水中で光が反射するため、魚の注意を引いて食い付きが良くなる。特に、本実施例では、前記錘本体部１２とガイド部１４の双方が多面体であり、光を反射する面が多いため、集魚効果が高い。本実施例の釣り用錘１０は、食い棚に速やかに到達しやすく、潮の速い時の誘いに特に有効である。なお、本実施例では、錘本体部１２とガイド部１４の双方を多面体としたが、いずれか一方のみを多面体としてもよい。
【実施例２】
【００１３】
次に、図２(A)を参照しながら本考案の実施例２を説明する。図２(A)は、本実施例の釣り用錘の外観斜視図である。本実施例の釣り用錘３０は、略球状の錘本体部３２と、略円筒状のガイド部３４により構成されており、内側には貫通孔３６が設けられている。前記錘本体部３２は、例えば、直径が４．４ｍｍ，ガイド部３４は、直径が２．４ｍｍで長さが１０ｍｍ程度である。本実施例においても、釣り用錘３０の表面全体に金属光沢を設けることは、上述した実施例１と同様である。本実施例では、上述した実施例１のように多数のカット面を有するわけではないが、表面全体の金属光沢により光の反射が可能であるため、基本的な作用・効果は、前記実施例１と同様である。
【実施例３】
【００１４】
次に、図２(B-1)及び(B-2)を参照しながら本考案の実施例３を説明する。図２(B-1)は本実施例の釣り用錘の外観斜視図，図２(B-2)は釣り用錘の側面図である。本実施例の釣り用錘４０は、多面体（図示の例では１０角柱状）の錘本体部４２と、その両側に設けられたガイド部４４Ａ，４４Ｂにより構成されており、内側には貫通孔４６が形成されている。前記ガイド部４４Ａ，４４Ｂは、１０角錐状であって、錘本体部４２よりも、貫通孔４６と直交する方向の外径寸法が小さく設定されている。本実施例によれば、釣糸２０に取り付けるときに、ガイド部４４Ａ，４４Ｂのいずれを釣針２２に向けてもよいので、取り付けが容易である。
【００１５】
なお、本考案は、上述した実施例に限定されるものではなく、本考案の要旨を逸脱しない範囲内において種々変更を加え得ることができる。例えば、以下のものも含まれる。
(1)前記実施例１で示した形状，寸法は一例であり、必要に応じて適宜変更してよい。材質についても同様であり、公知の各種の材質を利用してよい。
(2)前記実施例１及び２では、ガイド部１４，３４の一端側にのみ錘本体部１２，３２を配置することとしたが、これも一例であり、図２(C)に示す釣り用錘５０のように、ガイド部５４の両端に、略球状の錘本体部５２Ａ，５２Ｂを設け、内側に貫通孔５６を設けるようにしてもよい。この例では、錘本体部５２Ａ，５２Ｂのどちらを釣針２２側にして釣糸２０に装着してもよく、そのときに、一方の錘本体部（例えば、５２Ａ）が餌２６に隠れたとしても、他方の錘本体部（例えば、５２Ｂ）が餌２６に隠れずに目立つため、集魚効果を損なうことがない。むろん、図２(C)に示す例においても、錘本体部５２Ａ，５２Ｂ，ガイド部５４のいずれかの表面を多面体状に形成してもよい。
【００１６】
(3)前記実施例３では、多角柱状の錘本体部４２の両側に、多角錐状のガイド部４４Ａ，４４Ｂを設けることとしたが、これも一例であり、図２(D)に示す釣り用錘６０のように、略球状の錘本体部６２の両側に、略円柱状（ないし角柱状）のガイド部６４Ａ，６４Ｂを設け、貫通孔６６を設ける構成としても、同様の効果が得られる。図２(C)及び(D)を組み合わせ、錘本体を中央と両端に設けるようにしてもよい。
(4)前記実施例１では、錘本体部１２として全体にミラーカットが施された多面体形状を採用することとしたが、実施例２に示す略球状の錘本体部３２に一ヶ所以上のカット面を設けるようにしてもよい。
(5)本考案の釣り用錘は、他の釣り用アイテムと併用しても有効である。
(6)本考案の釣り用錘は、マダイ，イナダ，アジなどの釣り用として好適であるが、他の魚全般に有効である。
【産業上の利用可能性】
【００１７】
本考案によれば、釣糸が貫通する貫通孔を有する少なくとも一つの錘本体部と、該錘本体部の貫通孔と連続する貫通孔を有しており、該貫通孔と直交する方向の外径寸法が前記錘本体部より小さく、前記錘本体部の少なくとも一方の端部に連続形成されたガイド部によって釣り用錘を構成し、その表面全体が金属光沢を有することとした。これにより、錘全体を大きくせずに必要な重さにするとともに、魚の食い付きも良くすることができるため、釣り用錘の用途に適用できる。
【符号の説明】
【００１８】
１０：釣り用錘
１２：錘本体部
１４：ガイド部
１６：貫通孔
２０：釣糸
２２：釣針
２４：チモト
２６：餌
３０，４０，５０，６０：釣り用錘
３２，４２，５２Ａ，５２Ｂ，６２：錘本体部
３４，４４Ａ，４４Ｂ，５４，６４Ａ，６４Ｂ：ガイド部
３６，４６，５６，６６：貫通孔
【図１】
0003152418.tif 000003
【図２】
0003152418.tif 000004